(57)【要約】【課題】  水平方向に連続して配置された複数の嵌め殺し窓の外面を効率よく清掃でき、簡便な構造で、窓の外観を損ねることもなく、製造及び設置コストも安くで済む手動式の清掃装置を提供する。【解決手段】  清掃すべきガラス（２１ａ〜２１ｈ）の丈と略等しい長さを有し、上端及び下端に設けたローラ（１２，１３，１３０）により、ガラスを固定するフレームの上枠（２２）と下枠（２３）に沿って水平方向に移動可能なよう保持された垂直ポール（１１）と、当該垂直ポールの略全長にわたって延びるよう取り付けられ、ガラスの外面を払拭、清掃するワイパーブレード（１４）と、を備えたことを特徴とする。垂直ポール（１１）を水平方向に移動させるには、電動モータ（４１）等の動力を利用したり、最も簡便には、手動によることも推奨される。【選択図】  図１
2006141448.tif 000002
【特許請求の範囲】
【請求項１】
水平方向に連続して配置された複数の嵌め殺し窓（２１ａ〜２１ｈ）の外面を清掃する装置であって、
清掃すべきガラス（２１ａ〜２１ｈ）の丈と略等しい長さを有し、上端及び下端に設けたローラ（１２，１３，１３０）により、ガラスを固定するフレームの上枠（２２）と下枠（２３）に沿って水平方向に移動可能なよう保持された垂直ポール（１１）と、
当該垂直ポールの略全長にわたって延びるよう取り付けられ、ガラスの外面を払拭、清掃するワイパーブレード（１４）と、
を備えたことを特徴とする上記の水平方向に連続配置された嵌め殺し窓の清掃装置。
【請求項２】
上記垂直ポール（１１）を電動モータ（４１）により水平方向に移動させることを特徴とする請求項１に記載の水平方向に連続配置された嵌め殺し窓の清掃装置。
【請求項３】
上記垂直ポール（１１）を手動により水平方向に移動させることを特徴とする請求項１に記載の水平方向に連続配置された嵌め殺し窓の清掃装置。
【請求項４】
ガラスを固定するフレームの上枠（２２）及び下枠（２３）に、その長手方向に沿って上記ローラ（１２，１３）をガイドするガイドスロット（２２ａ，２３ａ）を形成したことを特徴とする請求項１から３までのいずれか一項に記載の水平方向に連続配置された嵌め殺し窓の清掃装置。
【請求項５】
垂直ポール（１１）の上端及び下端の上記ローラ（１２，１３，１３０）を、それぞれ複数個づつ設けたことを特徴とする請求項１から４までのいずれか一項に記載の水平方向に連続配置された嵌め殺し窓の清掃装置。
【請求項６】
ガラスを固定するフレームの上枠（２２）に、ガラス外面への散水パイプ（３１ａ〜３１ｈ）を設けたことを特徴とする請求項１から５までのいずれか一項に記載の水平方向に連続配置された嵌め殺し窓の清掃装置。
【請求項７】
上記散水パイプ（３１ａ〜３１ｈ）への給水を、水道管（３２）から電磁弁（３３ａ〜３３ｈ）を通じて行うことを特徴とする請求項６に記載の水平方向に連続配置された嵌め殺し窓の清掃装置。
【請求項８】
ガラスを固定するフレームの上枠（２２）又は下枠（２３）に沿って所定間隔おきに、上記垂直ポール（１１）が接近又は通過時に作動する複数のリミッタースイッチ（３４ａ〜３４ｈ）を取り付け、当該リミッタースイッチの出力信号に基づいて上記電磁弁（３３ａ〜３３ｈ）を所定時間開き、各リミッタースイッチ（３４ａ〜３４ｈ）に対応する散水パイプ（３１ａ〜３１ｈ）から散水を行うよう構成したことを特徴とする請求項７に記載の水平方向に連続配置された嵌め殺し窓の清掃装置。
【請求項９】
上記散水パイプ（３１ａ〜３１ｈ）への給水を、手動ポンプにより行うことを特徴とする請求項６に記載の水平方向に連続配置された嵌め殺し窓の清掃装置。
【請求項１０】
上記ワイパーブレード（１４）がガラス面（２１ａ〜２１ｈ）に対して所定の圧力で当接するよう、ワイパーブレードホルダ（１５）を上記垂直ポール（１１）に対してスプリング付勢（１６）して取り付けたことを特徴とする請求項１から９までのいずれか一項に記載の水平方向に連続配置された嵌め殺し窓の清掃装置。
【請求項１１】
上記スプリング付勢されたワイパーブレードホルダ（１５）の上端及び下端にガイドローラ（１７ａ，１７ｂ）を取り付け、垂直ポール（１１）の移動時に、当該ガイドローラが、ガラスを固定するフレームの上枠（２２）及び下枠（２３）に沿って延びるガイドレール（２２ｂ，２３ｂ）上を転動するよう構成すると共に、当該ガイドローラの通過経路上で方立（２６ａ〜２６ｇ）に対応する位置に、ガイドローラが乗り上げて通過するリフティングブロック（２７）を設けたことを特徴とする請求項１０に記載の水平方向に連続配置された嵌め殺し窓の清掃装置。
【発明の詳細な説明】
【技術分野】
【０００１】
本発明は、水平方向に連続配置された嵌め殺し窓（以下、「横連窓」という。）の清掃装置に関し、より具体的には、横連窓の外面を効率よく清掃することのできる電動式又は手動式の清掃装置に関するものである。
【背景技術】
【０００２】
ビルの窓ガラスの外面を自動的に洗浄する装置は、これまでにも多く提案されており、それらの例として例えば下記特許文献１〜４に記載のものを挙げることができる。
【０００３】
【特許文献１】特表２００３−５１６７９２号公報（特願２００１−５４４５５９）
【特許文献２】特願２００４−０８２４２５
【特許文献３】特願２００４−１３６９５１
【特許文献４】特願２００４−１９６９４０
【０００４】
これらの装置は、ビルの外壁面に沿って移動可能な台車機構に設けたワイパーユニットのワイパーブレードでガラスの表面を拭き清めるようになっており、その台車機構を移動させるために大出力のモーター等も使用するため、一般的に大型で高価なものであった。
そのため、複数の嵌め殺しのガラス窓が水平方向に連続して配置された横連窓のように、人通りの多い路面等に沿って設けられたガラス面の清掃には適さず、また、台車機構を支持するためのガイドレール等も設ける必要があるので、美観を重視する横連窓の清掃に用いることはできなかった。
従って、横連窓のガラス面の清掃は、現在でも殆ど人手に頼っており、非効率的であった。
また、人目を集めることを一つの目的とするこれらの大面積のガラスは常に磨かれた状態にあることが要求され、汚れのひどい部分だけ磨くと、磨いていない部分との差が目立つため、磨くときは全面的に磨く必要があり、その労力と人件費は多大なものになるという問題があった。
【発明の開示】
【発明が解決しようとする課題】
【０００５】
本発明は、上記の問題点を解決するためなされたものであり、その目的とするところは、横連窓の如き広面積のガラス面を効率よく清掃でき、簡便な構造で、横連窓の外観を損ねることもなく、製造及び設置コストも安くで済む電動式若しくは手動式の清掃装置を提供することにある。
【課題を解決するための手段】
【０００６】
上記の目的は、
水平方向に連続して配置された複数の嵌め殺し窓の外面を清掃する装置であって、
清掃すべきガラスの丈と略等しい長さを有し、上端及び下端に設けたローラにより、ガラスを固定するフレームの上枠と下枠に沿って水平方向に移動可能なよう保持された垂直ポールと、
当該垂直ポールの略全長にわたって延びるよう取り付けられ、ガラスの外面を払拭、清掃するワイパーブレードと、
を備えたことを特徴とする上記の水平方向に連続配置された嵌め殺し窓の清掃装置によって達成できる。
【０００７】
上記垂直ポールを水平方向に移動させるには、電動モータ等の動力を利用したり、最も簡便には、手動によることも推奨される。
【０００８】
ガラスを固定するフレームの上枠及び下枠には、その長手方向に沿って上記ローラをガイドするガイドスロットを形成することが推奨される。
また、垂直ポールの移動時における垂直状態を保持するために、垂直ポールの上端及び下端の上記ローラを、それぞれ複数個づつ設けることが推奨される。
【０００９】
ガラスを固定するフレームの上枠には、ガラス外面への散水パイプを設けることが望ましい。
散水パイプへの給水は、水道管から電磁弁を通じて行うよう構成することが推奨され、その場合、ガラスを固定するフレームの上枠又は下枠に沿って所定間隔おきに、上記垂直ポールが接近又は通過時に作動する複数のリミッタースイッチを取り付けておき、当該リミッタースイッチの出力信号に基づいて上記電磁弁を所定時間開き、各リミッタースイッチに対応する散水パイプから散水を行うよう構成することも推奨される。
或いはまた、上記散水パイプへの給水を、手動ポンプにより行うように構成することも可能である。
【００１０】
上記ワイパーブレードがガラス面に対して所定の圧力で当接するよう、ワイパーブレードホルダを上記垂直ポールに対してスプリング付勢して取り付けることが推奨される。
【００１１】
なお、隣接するガラスの側辺同士を連結する方立（ほうだて：縦の支骨）の部分を垂直ポールが円滑に通過できるようにするために、上記スプリング付勢されたワイパーブレードホルダの上端及び下端にガイドローラを取り付け、垂直ポールの移動時に、当該ガイドローラが、ガラスを固定するフレームの上枠及び下枠に沿って延びるガイドレール上を転動するよう構成すると共に、当該ガイドローラの通過経路上で方立に対応する位置に、ガイドローラが乗り上げて通過するリフティングブロックを設けることが推奨される。
【発明の効果】
【００１２】
上記の如き構成であると、横連窓のような大面積のガラス面の清掃が必要なときには、上記垂直ポールを電動若しくは手動によりガラスの外面に沿って移動させるだけで、ポールに取り付けられたワイパーブレードがガラスの表面を全面的に払拭し、清掃が行われるものであるから、簡単な操作で効率よく清掃作業が完了し、従来必要とされた労力と人件費を大幅に軽減し得るものである。また、簡便な構造で、大型の装置を必要としないため、不使用時にも横連窓の外観を損なうことがなく、価格的にも安くで提供できる。
【発明を実施するための最良の形態】
【００１３】
以下、図面に示す実施例を参照しつつ、本発明を実施するための最良の形態について説明する。
【実施例】
【００１４】
図１は、本発明に係る清掃装置の一実施例の全体的な構成を示す説明図であり、その（Ａ）図は正面図、（Ｂ）図は（Ａ）図中のｂ−ｂ線に沿った断面図である。
図2は、図１に示した本発明に係る清掃装置の一部拡大図であり、その（Ａ）図は正面図、（Ｂ）図は（Ａ）図中のｂ−ｂ線に沿った断面図、（Ｃ）図は（Ａ）図中のｃ−ｃ線に沿った断面図である。
図３は、垂直ポールの縦方向（図２中のIII−III線）に沿った中間省略拡大断面図である。
図４は、垂直ポールが方立部分を円滑に通過できるようにするための構成を示す横断面図である。
図５は、電動モータによる垂直ポールの移動機構の構成を示す横断面図である。
【００１５】
これらの図中、１１は垂直ポール、１２，１３及び１３０は、垂直ポール１１の上端及び下端に取り付けられたローラ、１２０は、ローラ取付けフレーム、１４は、垂直ポール１１に設けられるワイパーブレード、１５はワイパーブレードホルダ、１６は、ワイパーブレードホルダ１５を垂直ポール１１内から外側へ向けて押し出す方向の力を作用させる押出しスプリング、１７ａ，１７ｂはワイパーブレードホルダ１５の上端及び下端に取り付けられたガイドローラである。
また、２１a〜２１ｈは、水平方向に連続して配置された嵌め殺し形式の複数のガラス、２２はこれらのガラスを固定するフレームの上枠、２２ａは、前記ローラ１２をガイドするため上枠２２に形成されたガイドスロット、２２ｂは、前記ガイドローラ１７ａがこれに沿って転動するガイドレール、２３はガラスを固定するフレームの下枠、２３ａは、前記ローラ１３をガイドするため下枠２３に形成されたガイドスロット、２３ｂは、前記ガイドローラ１７ｂがこれに沿って転動するガイドレール、２３ｃは水平レール、２３ｄは排水溝、２４，２５はフレームの縦枠、２６a〜２６ｇは方立、２７はリフティングブロックである。
更にまた、３１a〜３１ｈは、フレームの上枠２２に沿って設けられた散水パイプ、３２は水道管、３３a〜３３ｈは電磁弁、３４a〜３４ｈはリミッタースイッチ、３５はポンプ接続口、４１は電動モータ、４１ａはプーリ、４２は伝動ベルト、４３は中間プーリ、４４は牽引ベルトである。
【００１６】
図１に示す如く、垂直ポール１１は、ガラス２１ａ〜２１ｈの丈（たけ）と略等しい長さを有し、その上端にはローラ１２が設けられ、下端にはローラ１３及び１３０が設けられている。これらのローラのうち、ローラ１２及び１３は、ガラス面に対して平行な軸を中心に回動自在に保持され、ローラ１２は、ガラスを固定するフレームの上枠２２に形成した長手方向に延びるガイドスロット２２ａ内を当該スロットに沿って移動可能なようになっており、また、ローラ１３は、下枠２３に形成した長手方向に延びるガイドスロット２３ａ内を当該スロットに沿って移動可能なようになっている。
また、垂直ポール１１の下端のローラ１３０は、ガラス面に対して垂直な軸を中心に回動自在に保持され、下枠２３の水平レール２３ｃ上を、垂直ポール１１の荷重を支持しつつ転動、移動し得るようになっている。
なお、上記ローラ１２、１３及び１３０は、垂直ポール１１の移動時における垂直状態を保持するために、複数個づつ設けることが推奨される。
【００１７】
垂直ポール１１がガラス２１と対向する面には、その略全長にわたって延びるようワイパーブレード１４が取り付けられ、上記の如く垂直ポール１１をフレームの上枠及び下枠に沿って水平方向（横方向）に移動させると、ワイパーブレード１４がガラス２１ａ〜２１ｈの表面を払拭、清掃するようになっている。
【００１８】
より具体的には、図３〜図５に示す如く、ワイパーブレード１４は、ワイパーブレードホルダ１５の先端に取り付けられている。ワイパーブレードホルダ１５は、中空の垂直ポール１１内でガラス２１ａないし２１ｈへ向けて進出、後退し得るよう変位可能に保持されており、その後端を押出しスプリング１６によってガラス２１ａ等へ向けて押し出されるように付勢されている。
これにより、ガラス２１ａ〜２１ｈ等に或る程度の歪みがあったり、取付け誤差があったり、或いはまた、垂直ポール１１がガラス面から離れる方向へ幾分変位したような場合においても、ワイパーブレード１４とガラス表面の接触が保たれ、十全な洗浄が行われるようになっている。
【００１９】
図１〜３に示すように、フレームの上枠２２には、ガラス表面へ水若しくは適宜の洗剤を混合した洗浄水を供給するための散水パイプ３１ａ〜３１ｈを設けることが推奨される。
図１においては、図面を判りやすくするため、散水パイプ３１ａ〜３１ｈをフレームの上枠２２から分離して描いてあるが、実際には、図２及び図３に示すように、散水パイプ３１ａ等をフレームの上枠２２内にこれと一体的に設けるようにすることが望ましい。
上記散水パイプ３１ａ〜３１ｈへの給水は、図１及び図２に示すように、水道管３２から電磁弁３３ａ〜３３ｈを通じて行うよう構成することが推奨される。
その場合、フレームの上枠２２又は下枠２３に沿って所定間隔おきに、垂直ポール１１が接近又は通過時に作動する複数のリミッタースイッチ３４ａ〜３４ｈを取り付けておき、当該リミッタースイッチの出力信号に基づいて上記電磁弁３３ａ〜３３ｈを所定の時間だけ開き、各リミッタースイッチ３４ａ〜３４ｈに対応する散水パイプ３１ａ〜３１ｈから散水を行うよう構成することが推奨される。そうすることにより、特別のポンプ等を必要とすることなく通常の水道圧で散水を行い得ると共に、垂直ポール１１がガラスの前面を通過し、洗浄を行う直前に散水が行われて良好な洗浄効果が得られるという利点がある。
窓の近くまで水道管の配管工事が困難な環境下においては、例えば図２（Ａ）に示すように、方立２６ａ等に、手動又は電動ポンプへの接続口３５ａを設け、ここを通じて散水パイプ３１ａ等へ水等の洗浄液を送るようにしてもよい。
【００２０】
上記垂直ポール１１を水平方向に移動させるためには、電動モータ等の動力を利用することが可能である。
例えば図５に示す如く、窓ガラスを固定するフレームの一方の縦枠２５の下部に電動モータ４１と減速機構を設け、その出力軸に取り付けたプーリ４１ａと中間プーリ４３とを伝動ベルト４２によって連結する。また、垂直ポール１１には、ループ状の牽引ベルト４４の両端を固定すると共に、当該牽引ベルト４４を中間プーリ４３に巻き掛ける。これにより、電動モータ４１を正逆回転させると、中間プーリ４３が正逆回転し、牽引ベルト４４を介して垂直ポール１１がガラス２１ａ〜２１ｈの前面を水平方向に往復移動して、ガラスの表面を清掃する。
【００２１】
垂直ポール１１の移動形態としては、１枚のガラスの表面を例えば1.５往復させながら、順番に次のガラスへ移動してゆくようにすることが推奨される。
具体的には、図１に示した実施例において、まずガラス２１ａから清掃を開始するとして、垂直ポール１１がガラス２１ａの左端側から右方向へ向けて移動を開始し、これがリミッタースイッチ３４ａに検知されると、その検知信号に基づき電磁弁３３ａが一定時間開いて水道管３２からの水が散水パイプ３１ａを通じてガラス２１ａの外面に噴射される。垂直ポール１１はガラス２１ａの右端（ガラス２１ａと２１ｂの間の方立２６ａの手前）までガラス２１ａの外面に沿って進行した後、逆方向（左方向）へ向けて引き返し、ガラス２１ａの左端まで達した後、再度右方向へ向けて移動し、ガラス２１ａの右端まで達した後、今度は方立２６ａを通過して次のガラス２１ｂの清掃を開始する。
このように各ガラスについて、垂直ポール１１を1.５往復づつ移動させることにより、良好な洗浄効果を得ることができる。
上記の如き垂直ポール１１の移動制御は、図では省略した制御装置により電動モータ４１の回転方向の切換え及び回転量を制御することにより達成し得る。
なお、最も簡便には、電動モータ４１等の動力によることなく、手動により移動させるようにしてもよい。
【００２２】
次に、垂直ポール１１が方立２６ａ〜２６ｈの部分を円滑に通過できるようにするための構成について、図３及び図４を参照しつつ説明する。図４は、方立部分における図３中のIV−IV線に沿った横断面積である。
方立２６ａ〜２６ｈは、ガラスの外面より外側へ突出しているため、垂直ポール１１の移動時にワイパーブレード１４やワイパーブレードホルダ１５がこれに引っ掛かって円滑な移動が阻害される。
これを解消するため、本発明においては、図３及び図４に示すように、前記スプリング付勢されたワイパーブレードホルダ１５の上端及び下端にガイドローラ１７ａ，１７ｂを取り付け、垂直ポール１１の移動時に、当該ガイドローラが、ガラスを固定するフレームの上枠２２及び下枠２３に沿って延びるガイドレール２２ｂ，２３ｂ上を転動するよう構成すると共に、当該ガイドローラの通過経路上で方立２６ａ〜２６ｇに対応する位置に、ガイドローラが乗り上げて通過するリフティングブロック２７を設けるように構成してある。
このような構成を採用することにより、方立のない箇所では、ガイドローラ１７ａ，１７ｂがガイドレール２２ｂ，２３ｂ上を転動しつつ通過し、そのときワイパーブレード１４の先端は押出スプリング１６によりガラスの表面に密着しながら移動する。
方立２６ａ（〜２６ｇ）の位置では、ガイドローラ１７ａ，１７ｂがリフティングブロック２７に乗り上げ、このときワイパーブレードホルダ１５は押出しスプリング１６を押し縮めながら垂直ポール１１内に通常より深く入り込み、これによりワイパーブレード１４もガラスの表面から遠ざかるように持ち上げられ、方立２６ａ（〜２６ｇ）の頂面をなぞりながら、当該方立を円滑に乗り越えて移動することができる。
このように、リフティングブロック２７とガイドローラ１７ａ，１７ｂを用いて方立部分を通過する手段の詳細については、本出願人が先に特願２００４−１３６９５１において開示した発明を好適に採用し得るものである。
【００２３】
なお、本発明は上記の実施例に限定されるものではなく、例えば、横連窓のガラス２１ａ〜２１ｈは、図１に示した例では一平面上に配置されているが、大きな半円筒形その他の曲面に沿って配列されたものでもよく、また、牽引ベルトはワイヤでもよく、従って、本発明はその目的の範囲内において、上記の説明から当業者が容易に想到し得るすべての変更実施例を包摂するものである。
【産業上の利用可能性】
【００２４】
本発明は上記の如く構成されるから、本発明によるときは、横連窓の如く水平方向に連続配置された複数の嵌め殺し窓から成る広面積のガラス面を効率よく清掃でき、簡便な構造で、横連窓の外観を損ねることもなく、製造及び設置コストも安くで済む手動式の清掃装置を提供し得るものであり、産業上多大の利用可能性を有するものである。
【図面の簡単な説明】
【００２５】
【図１】本発明に係る清掃装置の一実施例の全体的な構成を示す説明図であり、その（Ａ）図は正面図、（Ｂ）図は（Ａ）図中のｂ−ｂ線に沿った断面図である。
【図２】図１に示した本発明に係る清掃装置の一部拡大図であり、その（Ａ）図は正面図、（Ｂ）図は（Ａ）図中のｂ−ｂ線に沿った断面図、（Ｃ）図は（Ａ）図中のｃ−ｃ線に沿った断面図である。
【図３】垂直ポールの縦方向（図２中のIII−III線）に沿った中間省略拡大断面図である。
【図４】垂直ポールが方立部分を円滑に通過できるようにするための構成を示す横断面図である。
【図５】電動モータによる垂直ポールの移動機構の構成を示す横断面図である。
【符号の説明】
【００２６】
１１      垂直ポール
１２，１３，１３０    ローラ
１２０  ローラ取付けフレーム、
１４      ワイパーブレード
１５      ワイパーブレードホルダ
１６      押出しスプリング
１７ａ，１７ｂ    ガイドローラ
２１a〜２１ｈ    ガラス
２２      上枠
２２ａ    ガイドスロット
２２ｂ    ガイドレール
２３      下枠
２３ａ    ガイドスロット
２３ｂ    ガイドレール
２３ｃ    水平レール
２３ｄ    排水溝
２４，２５    縦枠
２６a〜２６ｇ    方立
２７      リフティングブロック
３１a〜３１ｈ    散水パイプ
３２      水道管
３３a〜３３ｈ    電磁弁
３４a〜３４ｈ    リミッタースイッチ
３５      ポンプ接続口
４１      電動モータ
４１ａ    プーリ
４２      伝動ベルト
４３      中間プーリ
４４      牽引ベルト
【図１】
2006141448.tif 000003
【図２】
2006141448.tif 000004
【図３】
2006141448.tif 000005
【図４】
2006141448.tif 000006
【図５】
2006141448.tif 000007